(57)【特許請求の範囲】
【請求項１】
収納ケースに収納した巻取ロールに対して、スクリーン生地を巻取ったり繰出したりすることで、該スクリーン生地を昇降させる電動式のスクリーン装置において、
前記巻取ロールの一端部にセンサユニットを設け、
前記収納ケースの前側を覆う前面パネルを該収納ケースの前側から着脱自在又は開閉自在に設け、
前記巻取ロールの支軸の両端部を前記収納ケースの前側から受け入れて、前記巻取ロールを前記収納ケースの組付位置へ案内する１対の案内部を前記収納ケースの両側部に設け、
前記収納ケースの側部に前側から固定されて、前記案内部内に装填した支軸を前記案内部内に保持する保持金具を設け、
前記スクリーン生地と前記前面パネルとの左右方向の中心位置が揃えられるように、前記収納ケース内に巻取ロールを組み付けた、
ことを特徴とするスクリーン装置。
【請求項２】
前記収納ケースへの組付け前において、前記保持金具を支軸に対して軸方向に移動自在に且つ脱落不能に設け、前記収納ケースへの組付け後において、前記保持金具と巻取ロールの胴体部間に案内部を配置した請求項１記載のスクリーン装置。
【請求項３】
前記支軸の前側への脱落を規制する規制突部を前記案内部に形成した請求項１又は２記載のスクリーン装置。
【発明の詳細な説明】
【技術分野】
【０００１】
本発明は、建築物の壁面や天井面に取付けられるスクリーン装置に関する。
【背景技術】
【０００２】
スクリーン装置として、収納ケースと、該収納ケースに収納した巻取ロールと、巻取ロールに対してスクリーン生地を巻取ったり繰出したりすることで、該スクリーン生地を昇降させる手動式や電動式の駆動手段とを備えたスクリーン装置が広く実施されている。
【０００３】
一方、スクリーン装置のメンテナンス性を高めるために、収納ケースに対して巻取ロールを着脱可能となしたものが提案され、実用化されている。例えば、巻取ロールを支持するための左右１対のブラケットを設け、両ブラケットに前端部を開口した、前方上がりの傾斜状の切欠孔を形成し、両切欠孔に巻取ロールの支軸の両端部を前側から落とし込み、支軸に嵌合する貫通孔を有するロック板をブラケットに対して側方よりビスで固定して、ロック板を介して支軸をブラケットに支持するように構成した電動スクリーン装置も提案されている（例えば、特許文献１参照）。
【０００４】
また、電動式のスクリーン装置では、電動モータの制御装置を収納ケースの一側部に配置したものが広く採用されている（特許文献２参照）。
【先行技術文献】
【特許文献】
【０００５】
【特許文献１】特開２００５−１１５３４０号公報
【特許文献２】特開２００３−２２８１３２号公報
【発明の概要】
【発明が解決しようとする課題】
【０００６】
ところで、前記特許文献１記載のスクリーン装置では、ブラケットを取り外すことなく、巻取ロールを容易に取り外すことができる。しかし、ロック板を側方よりブラケットに固定しているので、収納ケースから側部キャップを取り外さないとロック板を取り外すことができず、その分巻取ロールの交換等の作業が煩雑になるという問題があった。
【０００７】
また、電動式のスクリーン装置では、例えば前記特許文献２記載のスクリーン装置のように、電動モータの制御装置を収納ケースの一側部に配置している関係上、一側部が他側分よりも側方へ出っ張ったものとなり、収納ケースの左右方向の中心とスクリーン生地の左右方向の中心とがずれて配置され、スクリーン装置が左右対称にならず、スクリーン装置の外観が低下するという問題があった。
【０００８】
本発明の目的は、巻取ロールの交換などのメンテナンス作業を前側から容易に行うことが可能なスクリーン装置を提供することである。
【課題を解決するための手段】
【０００９】
本発明に係るスクリーン装置は、収納ケースに収納した巻取ロールに対して、スクリーン生地を巻取ったり繰出したりすることで、該スクリーン生地を昇降させる電動式のスクリーン装置において、前記巻取ロールの一端部にセンサユニットを設け、前記収納ケースの前側を覆う前面パネルを該収納ケースの前側から着脱自在又は開閉自在に設け、前記巻取ロールの支軸の両端部を前記収納ケースの前側から受け入れて、前記巻取ロールを前記収納ケースの組付位置へ案内する１対の案内部を前記収納ケースの両側部に設け、前記収納ケースの側部に前側から固定されて、前記案内部内に装填した支軸を前記案内部内に保持する保持金具を設け、前記スクリーン生地と前記前面パネルとの左右方向の中心位置が揃えられるように、前記収納ケース内に巻取ロールを組み付けたものである。
【００１０】
このスクリーン装置では、これを建築物の壁面上部や天井などの高所に取付けて、スクリーン生地を巻取ったり繰出したりして使用することになる。また、前面パネルを取り外したり開放したりして、巻取ロールや巻取ロールの駆動手段などに対するメンテナンス等を行うことになる。巻取ロールに対してメンテナンスを行ったり、巻取ロールを交換するため、巻取ロールを取り外すときには、前面パネルを取り外したり開放したりしてから、収納ケースに対して保持金具を固定する固定具を取り外して、巻取ロールの両端部を案内部に仮支持させた状態で、巻取ロールを保持金具とともに前側へ引き出して取り外すことになる。ただし、左右の保持金具を収納ケースから取り外して、巻取ロールの両端部を案内部に仮支持させた状態で、巻取ロールを前側へ引き出して取り外すこともできる。一方、巻取ロールを組み付けるときには、巻取ロールの両端の支軸に対して保持金具を取付けた後、左右の支軸を収納ケースの左右の案内部に収納ケースの前側から装填し、巻取ロールを案内部に仮支持させた状態で、保持金具を収納ケースの側部に固定具で前側から固定して、保持金具を介して支軸を収納ケースの側部に位置決め保持し、巻取ロールを収納ケースに組み付けることになる。ただし、巻取ロールの左右の支軸を収納ケースの左右の案内部に収納ケースの前側から装填し、巻取ロールを案内部に仮支持させた状態で、保持金具を収納ケースの側部に固定具で前側から固定して、保持金具を介して支軸を収納ケースの側部に位置決め固定し、巻取ロールを収納ケースに組み付けることもできる。
【００１１】
このように、このスクリーン装置では、前側からの作業により巻取ロールの交換を含む各種メンテナンスを行うことができるので、スクリーン装置に対する各種メンテナンス作業を格段に効率的に行うことが可能となる。しかも、巻取ロールの支軸を案内部に仮支持させた状態で、巻取ロールを収納ケースに対して着脱できるので、巻取ロールに対するメンテナンスや巻取ロールの交換作業を効率的に行え、しかも一人の作業者でもこれらのメンテナンス作業を容易に行うことができる。また、スクリーン生地と前面パネルとの左右方向の中心位置が揃えられるように、収納ケース内に巻取ロールを組み付けることで、巻取ロールの一端部にセンサユニットを設けた電動式のスクリーン装置においても、巻取ロールから繰り出されるスクリーン生地が、外見上あたかもスクリーン装置の左右方向の中心から繰り出されることになるので、左右対称の均整の取れた良好な外観意匠の電動式のスクリーン装置を実現できる。しかも、前面パネルを意匠の異なるものに交換することで、意匠の異なる複数種類のスクリーン装置を製作できる。
【００１２】
ここで、前記収納ケースへの組付け前において、前記保持金具を支軸に対して軸方向に移動自在に且つ脱落不能に設け、前記収納ケースへの組付け後において、前記保持金具と巻取ロールの胴体部間に案内部を配置させることが好ましい実施の形態である。このように構成すると、巻取ロールに対して保持金具を取付けた状態で、これを収納ケース内に装填することができるので、巻取ロールの組付作業を効率的に且つ一人の作業者でも容易に行うことが可能となる。しかも、巻取ロールを収納ケースに組み付けた状態で、保持金具が巻取ロールの左右方向の移動を規制する座金として機能するので、保持金具に対して支軸の移動を拘束する機能と、巻取ロールの左右方向の移動を規制する座金としての機能の２つの機能を付与できる。
【００１３】
前記支軸の前側への脱落を規制する規制突部を前記案内部に形成することが好ましい実施の形態である。このように構成すると、案内部に仮支持させた支軸の脱落を規制突部で規制できるので、収納ケースに対して巻取ロールを着脱するときに、巻取ロールが意図せずして脱落するという不具合を防止できる。
【発明の効果】
【００１５】
本発明に係るスクリーン装置によれば、前側からの作業により巻取ロールの交換を含む各種メンテナンスを行うことができるので、スクリーン装置に対する各種メンテナンス作業を格段に効率的に行うことが可能となる。しかも、巻取ロールの支軸を案内部に仮支持させた状態で、巻取ロールを収納ケースに対して着脱できるので、巻取ロールに対するメンテナンスや巻取ロールの交換作業を効率的に行え、しかも一人の作業者でもこれらのメンテナンス作業を容易に行うことができる。また、スクリーン生地と前面パネルとの左右方向の中心位置が揃えられるように、収納ケース内に巻取ロールを組み付けることで、巻取ロールの一端部にセンサユニットを設けた電動式のスクリーン装置においても、巻取ロールから繰り出されるスクリーン生地が、外見上あたかもスクリーン装置の左右方向の中心から繰り出されることになるので、左右対称の均整の取れた良好な外観意匠の電動式のスクリーン装置を実現できる。しかも、前面パネルを意匠の異なるものに交換することで、意匠の異なる複数種類のスクリーン装置を製作できる。
【図面の簡単な説明】
【００１６】
【図１】電動式スクリーン装置の斜視図
【図２】電動式スクリーン装置の正面図
【図３】電動式スクリーン装置の前面パネルを取り外した状態での要部正面図
【図４】電動式スクリーン装置の縦断面図
【図５】電動式スクリーン装置の壁面への取り付け方法の説明図
【図６】ブラケットの斜視図
【図７】巻取ロールの右側の支持構造の分解斜視図
【図８】同支持構造の組付状態での斜視図
【図９】同支持構造の分解側面図
【図１０】巻取ロールの左側の支持構造の分解斜視図
【図１１】同支持構造の組付状態での斜視図
【図１２】スクリーンの下端部付近の斜視図
【図１３】図１２のXIII-XIII線断面図
【図１４】図１３のXIV-XIV線断面図
【図１５】手動式スクリーン装置の前面パネルを取り外した状態での要部正面図
【発明を実施するための形態】
【００１７】
次に、本発明の実施形態を添付図面に基づき詳細に説明する。
図１〜図５に示すように、スクリーン装置１は、電動式のスクリーン装置で、建築物の壁面上部や天井などに取付けられる収納ケース２と、収納ケース２に収納した巻取ロール３と、巻取ロール３の胴体部４に巻き付けたスクリーン生地５と、巻取ロール３に対してスクリーン生地５を巻取ったり繰出したりして、スクリーン生地５を昇降する駆動手段（図示略）と、駆動手段を制御する制御装置６とを備えている。
【００１８】
収納ケース２は、上面板１１と後面板１２とを有する倒立略Ｌ字状のフレーム部材１０と、フレーム部材１０の上面板１１の前端部に着脱可能に支持されて、収納ケース２の前面を覆う前面パネル１３と、前面パネル１３に着脱可能に取付けられて、収納ケース２の下面を閉鎖する略Ｌ字状の下面板１４と、フレーム部材１０の左右端部に固定した側面板１５Ｒ、１５Ｌとを備えている。
【００１９】
（前面パネル及びその取付構造）
前面パネル１３は、図１〜図５に示すように、略平坦な前壁部１６ａと、前壁部１６ａの上下両端部から後方へ延びる補強壁部１６ｂとを有するパネル本体１６と、パネル本体１６の左右両端部に着脱自在に取付けた側部キャップ１７とから構成されている。パネル本体１６は、合成樹脂材料や金属材料の押し出し成形品で構成され、パネル本体１６の上端近傍には支持突起１８が後方へ突出状に形成され、支持突起１８の下側には係止突起１９が後方へ突出状に形成されている。フレーム部材１０の上面板１１の前端部には、閉鎖位置において係止突起１９を下側から受け止める支持部２０が形成され、フレーム部材１０の上面板１１の前端近傍部には支持突起１８を外嵌抱持する抱持部２１が形成され、前面パネル１３は、支持突起１８を抱持部２１で外嵌抱持することで、左右方向に移動自在で且つ、図４に実線で図示の閉鎖位置と、下端部を収納ケース２の前方斜め上側に蹴り上げた略水平な図４に仮想線で図示の開放位置とにわたって回動自在に支持され、開放位置に回動させた状態で上方へ移動させることで、支持突起１８と抱持部２１との係合を解除して、収納ケース２から取り外せるように構成されている。
【００２０】
このように、前面パネル１３を収納ケース２に対して前側から着脱自在に支持することで、巻取ロール３の交換など、収納ケース２内に対するメンテナンスを効率的に行うことが可能となる。また、前面パネル１３は、フレーム部材１０に対して左右方向に移動自在に支持されるので、後述のように制御装置６などにより、収納ケース２の左右方向の中心と巻取ロール３の左右方向の中心とがずれて配置される場合でも、図２に示すように、前面パネル１３の左右方向の中心位置ＰＰとスクリーン装置１から繰り出されるスクリーン生地５の左右方向の中心位置ＰＳとが前後に重なるように、スクリーン生地５と左右方向の中心位置を揃えて前面パネル１３を設けることで、巻取ロール３から繰り出されるスクリーン生地５と、前面パネル１３の左端部間の距離ＬＬ及び前面パネル１３の右端部間の距離ＬＲとが同じになり、スクリーン生地５が外見上あたかもスクリーン装置１の左右方向の中心から繰り出されるように構成できるので、左右対称の均整の取れた良好な外観意匠のスクリーン装置１を実現できる。しかも、前面パネル１３を意匠の異なるものに交換することで、意匠の異なる複数種類のスクリーン装置１を容易に製作できる。
【００２１】
ただし、フレーム部材１０に対する前面パネル１３の取付構造は、スクリーン装置１の前側から前面パネル１３を着脱或いは開閉できるものであれば、任意の構成のものを採用することができる。また、パネル本体１６は、押し出し成形以外の成形方法で製作することも可能である。
【００２２】
（スクリーン装置の設置構造）
スクリーン装置１を建築物の壁面や天井面に固定設置するための設置構造について説明すると、図３〜図６に示すように、フレーム部材１０の後面板１２の上部には後方へ突出する係止突部２２が形成され、係止突部２２の後端部には下側へ延びる上部係止片２３が形成されている。後面板１２の下端部には後方へ延びる支持部２４が形成され、支持部２４の後端部には下方へ延びる前後１対の下部係止片２５が形成されている。フレーム部材１０は、合成樹脂材料や金属材料の押し出し成形品で製作され、係止突部２２と上部係止片２３と支持部２４と下部係止片２５とはフレーム部材１０の全長にわたって形成されている。ただし、フレーム部材１０は、押し出し成形以外の成形方法で製作することも可能である。
【００２３】
建築物の壁面や天井面には左右１対の設置金具３０が相互に間隔をあけてビス等で固定され、この設置金具３０は、倒立略Ｌ字状の設置金具本体３１と、設置金具本体３１に溶接固定したフック部材３２とから構成されている。
【００２４】
設置金具本体３１は、縦壁部３４と水平壁部３５とからなる倒立略Ｌ字状の本体部３３と、縦壁部３４の左右両側部を前側へ折り曲げてなる縦補強部３４ａと、水平壁部３５の左右両側部を下側へ折り曲げてなる水平補強部３５ａとからなり、金属板をプレス成形して製作されている。縦壁部３４の下端部には前方へ延びる下部フック部３６が形成され、縦補強部３４ａの高さ方向の途中部には上方へ向けて開口する上下方向の切欠きからなる上部フック部３７が形成されている。フック部材３２は、金属板を略クランク状にプレス成形したもので、縦壁部３４から上部フック部３７の下端部よりもやや上側に対応する位置へ延びる支持部３２ａと、上部フック部３７の前端部に沿って上方へ延びる補助フック部３２ｂとを有している。設置金具本体３１及びフック部材３２は、プレス成形以外の方法で製作することも可能である。
【００２５】
この設置金具３０を用いてスクリーン装置１を建築物の壁面や天井面に固定設置する際には、先ず設置金具本体３１を収納ケース２の全長よりも短い間隔を左右にあけて壁面や天井面に固定する。次に、図５に示すように、スクリーン装置１を持ち上げて、フレーム部材１０の上部係止片２３を設置金具３０の上部フック部３７及びフック部材３２の補助フック部３２ｂに係合させるとともに、フレーム部材１０の下部係止片２５を設置金具３０の下部フック部３６に係合させて、スクリーン装置１を左右の設置金具３０に仮支持する。次に、スクリーン装置１を左右方向に移動させて、スクリーン装置１の左右方向の位置を調整した後、図４に示すように、設置金具３０の下部フック部３６に下側から固定具としての固定ビス３８を装着して、該固定ビス３８を前後の下部係止片２５間に螺合させ、スクリーン装置１を左右の設置金具３０に固定することになる。このように、このスクリーン装置１では、前述のような構成のフレーム部材１０及び設置金具３０を用いて、スクリーン装置１を固定設置しているので、スクリーン装置１の左右方向の位置調整を容易に行うことができるとともに、１人の作業者でも、スクリーン装置１を壁面や天井面等に容易に固定設置することができる。
【００２６】
（巻取ロール及びその支持構造）
巻取ロール３の胴体部４にはスクリーン生地５が巻装される巻取筒４０が設けられ、胴体部４内には巻取筒４０を正方向と逆方向とに切換え可能に回転させるチューブラモータからなる図示外の駆動手段が内装され、巻取ロール３の両端部には支軸４１が突出状に設けられ、巻取ロール３は、左右の支軸４１を収納ケース２の左右両側部に位置決め固定して収納ケース２に組付けられ、巻取筒４０を駆動手段で回転駆動することで、巻取ロール３の巻取筒４０にスクリーン生地５を巻取ったり繰出したりできるように構成されている。巻取ロール３の左部には巻取ロール３の回転角度を検出するロータリエンコーダやポテンショメータなどからなるセンサユニット７が設けられ、左側の側面板１５Ｌの左側には駆動手段を制御するための制御装置６が設けられている。なお、駆動手段及び制御装置６としては、既存の任意の構成のものを採用することができる。
【００２７】
収納ケース２に対する巻取ロール３の支持構造について説明すると、図３、図７〜図１１に示すように、収納ケース２の左右両端部の側面板１５Ｌ、１５Ｒの内側には支持金具４２Ｌ、４２Ｒが固定されて、側面板１５Ｌ、１５Ｒと支持金具４２Ｌ、４２Ｒとで箱状の支持部４３Ｌ、４３Ｒが形成されている。支持金具４２Ｌ、４２Ｒの縦壁部４４Ｌ、４４Ｒの高さ方向の途中部には前端部を開口させた前後方向に細長い切欠孔からなる案内部４５Ｌ、４５Ｒが縦壁部４４Ｌ、４４Ｒの中央部付近まで形成され、案内部４５Ｌ、４５Ｒの後部には保持部４６Ｌ、４６Ｒが段落ち状に形成され、保持部４６Ｌ、４６Ｒの前端部には左右の支軸４１の前側への移動を規制する規制突起としての規制部４７Ｌ、４７Ｒが形成されている。支持金具４２Ｌ、４２Ｒの前壁部４８Ｌ、４８Ｒの高さ方向の途中部には開口部４９Ｌ、４９Ｒが案内部４５Ｌ、４５Ｒに連なって形成され、左右の支軸４１は、収納ケース２の前側から開口部４９Ｌ、４９Ｒ及び案内部４５Ｌ、４５Ｒを通って保持部４６Ｌ、４６Ｒに装填され、前方への移動が規制部４７Ｌ、４７Ｒにより規制されて、保持部４６Ｌ、４６Ｒ内に位置決め保持される。
【００２８】
巻取ロール３の左右の支軸４１には保持金具５０Ｌ、５０Ｒが取付けられている。保持金具５０Ｌ、５０Ｒは、支持金具４２Ｌ、４２Ｒの前壁部４８Ｌ、４８Ｒの前側に重ね合わせてビスなどの固定具５１Ｌ、５１Ｒで固定される取付部５２Ｌ、５２Ｒと、取付部５２Ｌ、５２Ｒから後方へ延びる平板状の保持片５３Ｌ、５３Ｒとを有し、平面視略Ｌ字状の金属板で構成されている。保持片５３Ｌ、５３Ｒの後部の高さ方向の中央部には左右の支軸４１が回転不能に嵌合する角孔からなる挿通孔５４Ｌ、５４Ｒが形成され、保持金具５０Ｌ、５０Ｒは、挿通孔５４Ｌ、５４Ｒに支軸４１を挿通させることで、軸方向に移動自在で且つ相対回転不能に支軸４１に取付けられている。また、左右の支軸４１の端部近傍部には割りピン５５Ｌ、５５Ｒが取り付けられ、保持金具５０Ｌ、５０Ｒは割りピン５５Ｌ、５５Ｒを介して脱落不能に支軸４１に取付けられている。
【００２９】
この支持構造では、巻取ロール３に対してメンテナンスを行ったり、巻取ロール３を交換するため、収納ケース２から巻取ロール３を取り外すときには、前面パネル１３を取り外したり開放したりしてから、保持金具５０Ｌ、５０Ｒを固定している固定具５１Ｌ、５１Ｒを取り外して、巻取ロール３の両端部を案内部４５Ｌ、４５Ｒの保持部４６Ｌ、４６Ｒに仮保持させた状態で、巻取ロール３を保持金具５０Ｌ、５０Ｒとともに前側へ引き出して取り外すことになる。一方、巻取ロール３を組み付けるときには、巻取ロール３の両端の支軸４１に対して保持金具５０Ｌ、５０Ｒを装着して割りピン５５Ｌ、５５Ｒで脱落不能に取付けた後、左右の支軸４１を収納ケース２の左右の案内部４５Ｌ、４５Ｒの保持部４６Ｌ、４６Ｒに収納ケース２の前側から装填し、巻取ロール３を案内部４５Ｌ、４５Ｒの保持部４６Ｌ、４６Ｒに仮保持させた状態で、保持金具５０Ｌ、５０Ｒを収納ケース２の側部に固定具５１Ｌ、５１Ｒで前側から固定して、保持金具５０Ｌ、５０Ｒを介して支軸４１を収納ケース２の側部に位置決め保持し、巻取ロール３を収納ケース２に組み付けることになる。
【００３０】
このように、この支持構造では、前側からの作業により巻取ロール３の交換を含む各種メンテナンスを行うことができるので、スクリーン装置１に対する各種メンテナンス作業を格段に効率的に行うことが可能となる。しかも、巻取ロール３の支軸４１を案内部４５Ｌ、４５Ｒに仮支持させた状態で、巻取ロール３を収納ケース２に対して着脱できるので、巻取ロール３に対するメンテナンスや巻取ロール３の交換作業を効率的に行え、しかも一人の作業者でもこれらのメンテナンス作業を容易に行うことができる。
【００３１】
なお、本実施の形態では、保持金具５０Ｌ、５０Ｒに支軸４１が挿通する挿通孔５４Ｌ、５４Ｒを形成したが、挿通孔５４Ｌ、５４Ｒを省略して、保持金具５０Ｌ、５０Ｒの保持片５３Ｌ、５３Ｒの後端部を支軸４１に当接させて、保持部４６Ｌ、４６Ｒに保持させた支軸４１の前方への移動を規制するように構成することも可能である。また、保持片５３Ｌ、５３Ｒの後端部に前側から支軸４１に嵌合する切欠部を形成し、切欠部を支軸４１に嵌合させて、保持部４６Ｌ、４６Ｒに保持させた支軸４１の前方への移動を規制するように構成することも可能である。この場合には、巻取ロール３を取り外すときには、左右の保持金具５０Ｌ、５０Ｒを収納ケース２から取り外して、巻取ロール３の両端部を案内部４５Ｌ、４５Ｒに仮支持させた状態で、巻取ロール３を前側へ引き出して取り外すことになる。一方、巻取ロール３を組み付けるときには、巻取ロール３の左右の支軸４１を収納ケース２の左右の案内部４５Ｌ、４５Ｒの保持部４６Ｌ、４６Ｒに前側から装填し、巻取ロール３を案内部４５Ｌ、４５Ｒの保持部４６Ｌ、４６Ｒに仮保持させた状態で、保持金具５０Ｌ、５０Ｒを収納ケース２の側部に固定具５１Ｌ、５１Ｒで前側から固定して、保持金具５０Ｌ、５０Ｒを介して支軸４１を収納ケース２の側部に位置決め固定し、巻取ロール３を収納ケース２に組み付けることになる。なお、この場合には、割りピン５５Ｌ、５５Ｒを省略することになるが、保持金具５０Ｌ、５０Ｒの保持片５３Ｌ、５３Ｒが嵌合する溝部を支軸４１に形成して、支軸４１の左右方向への移動を規制することも可能である。また、本実施の形態では、保持金具５０Ｌ、５０Ｒの保持片５３Ｌ、５３Ｒを支持金具４２Ｌ、４２Ｒの側壁部の巻取ロール３の胴体部４とは反対側に配置したが、支持金具４２Ｌ、４２Ｒの側壁部と巻取ロール３の胴体部４間に配置することも可能である。
【００３２】
なお、本実施の形態では、電動式のスクリーン装置１に本発明を適用した関係上、巻取ロール３の左端部にセンサユニット７が設けられ、巻取ロール３を左右対称に構成できず、支持構造についても、基本構成は同じであるが寸法の異なる支持金具４２Ｌ、４２Ｒや保持金具５０Ｌ、５０Ｒを用いたが、図１５に示すように、手動式のスクリーン装置１Ａでは、巻取ロール３Ａを左右対称に構成できるので、支持構造に関しても、前述した支持金具４２Ｒ及び保持金具５０Ｒと、支持金具４２Ｒ及び保持金具５０Ｒと左右対称の支持金具４２ＲＬ及び保持金具５０ＲＬを用いて、前記と同様に巻取ロール３Ａを支持することができる。
【００３３】
（張力調整手段）
スクリーン生地５の下端部には展開させたスクリーン生地５に対して下側への張力を作用させて、スクリーン生地５の弛みを取るための錘を兼ねる下部パイプ６０がスクリーン生地５の左右方向の全幅にわたって設けられ、下部パイプ６０の両端部にはスクリーン生地５の下端部を左右方向の外方側へ引っ張ってスクリーン生地５の下部の弛みを取るための張力調整手段６１が設けられている。
【００３４】
下部パイプ６０の上端部には左右方向に延びるスリット６２が全長にわたって形成され、スクリーン生地５の下端部はこのスリット６２を通って下部パイプ６０内に挿入されている。下部パイプ６０内においてスクリーン生地５の下端部には金属材料や合成樹脂材料や木材などからなる細長い板状の挟持板６３がスクリーン生地５を挟んで固定され、挟持板６３が下部パイプ６０の上端部に係合することで、スクリーン生地５がスリット６２から抜け落ちることが防止されている。
【００３５】
張力調整手段６１について説明すると、挟持板６３の両端部において表裏の挟持板６３とスクリーン生地５を挟持する平面視Ｕ字状のクリップ６４がビス６５で固定され、クリップ６４には外方へ延びる調整ネジ６６が固定されている。下部パイプ６０の両端部にはキャップ部材６７が取り付けられ、キャップ部材６７の内側には収容凹部６８が形成され、収容凹部６８内には調整ネジ６６が螺合する摘み６９が回転自在に装填されている。
【００３６】
この張力調整手段６１では、親指と人差し指で摘み６９を保持してこれを回転操作することで、調整ネジ６６の螺進量を調整して、スクリーン生地５の下部の弛みを取ることになるが、摘み６９が収容凹部６８内に配置され、摘み６９に対して力が入り難いことから、摘み６９を過剰に回転操作できないように構成されている。
【００３７】
以上、本発明の実施形態について説明したが、本発明はこうした実施例に何ら限定されるものではなく、本発明の要旨を逸脱しない範囲においてその構成を変更し得ることは勿論である。
【符号の説明】
【００３８】
１      スクリーン装置      ２      収納ケース
３      巻取ロール          ４      胴体部
５      スクリーン生地      ６      制御装置
７      センサユニット
１０    フレーム部材        １１    上面板
１２    後面板              １３    前面パネル
１４    下面板              １５Ｌ  側面板
１５Ｒ  側面板              １６    パネル本体
１６ａ  前壁部              １６ｂ  補強壁部
１７    側部キャップ        １８    支持突起
１９    係止突起            ２０    支持部
２１    抱持部              ２２    係止突部
２３    上部係止片          ２４    支持部
２５    下部係止片
３０    設置金具            ３１    設置金具本体
３２    フック部材          ３２ａ  支持部
３２ｂ  補助フック部        ３３    本体部
３４    縦壁部              ３４ａ  縦補強部
３５    水平壁部            ３５ａ  水平補強部
３６    下部フック部        ３７    上部フック部
３８    固定ビス
４０    巻取筒              ４１    支軸
４２Ｌ  支持金具            ４２Ｒ  支持金具
４３Ｌ  支持部              ４３Ｒ  支持部
４４Ｌ  縦壁部              ４４Ｒ  縦壁部
４５Ｌ  案内部              ４５Ｒ  案内部
４６Ｌ  保持部              ４６Ｒ  保持部
４７Ｌ  規制部              ４７Ｒ  規制部
４８Ｌ  前壁部              ４８Ｒ  前壁部
４９Ｌ  開口部              ４９Ｒ  開口部
５０Ｌ  保持金具            ５０Ｒ  保持金具
５１Ｌ  固定具              ５１Ｒ  固定具
５２Ｌ  取付部              ５２Ｒ  取付部
５３Ｌ  保持片              ５３Ｒ  保持片
５４Ｌ  挿通孔              ５４Ｒ  挿通孔
５５Ｌ  割りピン            ５５Ｒ  割りピン
６０    下部パイプ          ６１    張力調整手段
６２    スリット            ６３    挟持板
６４    クリップ            ６５    ビス
６６    調整ネジ            ６７    キャップ部材
６８    収容凹部            ６９    摘み
１Ａ    スクリーン装置      ３Ａ    巻取りロール
４２ＲＬ  支持金具          ５０ＲＬ  保持金具
ＰＰ    中心位置            ＰＳ    中心位置
【図１】
0005609549.tif 000002
【図２】
0005609549.tif 000003
【図３】
0005609549.tif 000004
【図４】
0005609549.tif 000005
【図５】
0005609549.tif 000006
【図６】
0005609549.tif 000007
【図７】
0005609549.tif 000008
【図８】
0005609549.tif 000009
【図９】
0005609549.tif 000010
【図１０】
0005609549.tif 000011
【図１１】
0005609549.tif 000012
【図１２】
0005609549.tif 000013
【図１３】
0005609549.tif 000014
【図１４】
0005609549.tif 000015
【図１５】
0005609549.tif 000016